(57)【要約】【課題】通信中に通信品質の急激な減衰が起こっても、適切にハンドオフを行うことで通信断を防ぐことができる通信端末装置を提供する。【解決手段】本発明の通信端末装置は、複数の基地局より受信するパイロット信号の受信頻度を管理するスケジュール情報を記憶する記憶手段と、前記スケジュールに基づき通信中の通信基地局及び当該通信基地局の周辺に位置する周辺基地局からそれぞれパイロット信号を受信する受信手段と、前記受信手段により受信したパイロット信号の通信品質に基づいて、前記周辺基地局をハンドオフ先候補としての候補基地局とハンドオフ先候補ではない候補外基地局とに区分するとともに、前記通信基地局の数に基づいて、前記候補基地局と前記候補外基地局との少なくとも一方のパイロット信号を受信する受信頻度を変更するように前記スケジュール情報の更新を制御する制御手段と、を備えることを特徴とする。【選択図】図３
2006287667.tif 000002
【特許請求の範囲】
【請求項１】
複数の基地局より受信するパイロット信号の受信頻度を管理するスケジュール情報を記憶する記憶手段と、
前記スケジュール情報に基づき通信中の通信基地局及び当該通信基地局の周辺に位置する周辺基地局からそれぞれパイロット信号を受信する受信手段と、
前記受信手段により受信したパイロット信号の通信品質に基づいて、前記周辺基地局をハンドオフ先候補としての候補基地局とハンドオフ先候補ではない候補外基地局とに区分するとともに、前記通信基地局の数に基づいて、前記候補基地局と前記候補外基地局との少なくとも一方のパイロット信号を受信する受信頻度を変更するように前記スケジュール情報の更新を行う制御手段と、
を備えることを特徴とする通信端末装置。
【請求項２】
請求項１に記載の通信端末装置において、
前記制御手段は、前記通信基地局の数が所定の閾値より少ない場合は、前記候補基地局と前記候補外基地局との少なくとも一方のパイロット信号を受信する受信頻度を上げるように前記スケジュール情報の更新を行なうことを特徴とする通信端末装置。
【請求項３】
請求項１に記載の通信端末装置において、
前記制御手段は、前記通信基地局の数が所定の閾値より多い場合は、前記候補基地局と前記候補外基地局との少なくとも一方のパイロット信号を受信する受信頻度を下げるように前記スケジュール情報の更新を行なうことを特徴とする通信端末装置。
【請求項４】
請求項１に記載の通信端末装置において、
前記記憶手段は、一の基地局からパイロット信号を受信するのに要する時間の２倍以上の所定時間を記憶し、
前記制御手段は、前記通信基地局の数が所定の閾値より少ない場合は、前記所定時間内に可能な限り多くの前記候補外基地局のパイロット信号を連続して受信するよう受信頻度を変更することを特徴とする通信端末装置。
【発明の詳細な説明】
【技術分野】
【０００１】
本発明は、携帯電話機などの通信端末装置に関する。
【背景技術】
【０００２】
携帯電話機などの通信端末装置で使用される多元接続方式に、符号分割多元接続（Ｃｏｒｄ  Ｄｉｖｉｓｉｏｎ  Ｍｕｌｔｉｐｌｅ  Ａｃｃｅｓｓ：ＣＤＭＡ）方式がある。ＣＤＭＡ方式の通信システムでは通常、各基地局に位相オフセットの異なるパイロット信号が固定的に割り当てられており、通信端末装置は、上記パイロット信号の位相オフセットを検出することにより各基地局を識別している。そして、通信端末装置が各基地局のパイロット信号の捕捉を行う場合、主に、次の３つのパイロットオフセットの集合が定義されている。
【０００３】
１．アクティブセット：現在通信端末装置と通信中の基地局（通信端末装置との間にトラフィックチャネルが割り当てられた基地局）に割り当てられているオフセットの集合。通信中の基地局を示す。
【０００４】
２．キャンディデートセット：通信端末装置により予め決められた所定値以上の通信品質（良好な通話を維持するのに十分と考えられる通信品質）でパイロット信号が受信されているが、基地局及び基地局コントローラを含む網側での処理により、まだ上記アクティブセットのメンバーにはされていない基地局に割り当てられているオフセットの集合。ハンドオフ先の候補となる基地局を示す。
【０００５】
３．ネイバーセット：通信端末装置により予め決められた所定値未満の通信品質（良好な通話を維持するのには不十分と考えられる通信品質）でパイロット信号が受信されている基地局に割り当てられているパイロットオフセットの集合。ハンドオフ先の候補となる可能性はあるが、現在ハンドオフ先の候補外の基地局を示す。
【０００６】
従来のＣＤＭＡ方式の通信システムでは、通信中において、通信端末装置が現在通信中の通信基地局（アクティブセット）から、この通信基地局の周辺に位置するハンドオフ先の候補となる可能性のある基地局（ネイバーセット）に関する情報をリスト化した「ネイバーセットリスト」が通信端末装置に送信される。ネイバーセットリストを受信した通信端末装置は、通信基地局のパイロット信号とともにネイバーセットリストに含まれる全ての基地局のパイロット信号を捕捉し、通信品質（例えば、ＲＳＳＩ値（受信信号強度））を計測する。そして、計測した通信品質が所定の閾値（通信端末装置と基地局間で良好な通信を確立することができるかどうかを判断するための閾値）を超えたパイロット信号があった場合には、そのパイロットオフセットをハンドオフ先の候補（キャンディデートセット）として通信基地局へ報告する。
【０００７】
通信基地局は、通信端末装置からの報告を受けて、所定の閾値を超えたキャンディデートセットをアクティブセットに入れるかどうか（キャンディデートセットを割り当てられている基地局と通信端末装置との通信チャネルを設定するかどうか）の判断を行う。判断の結果、キャンディデートセットをアクティブセットに登録すると、このキャンディデートセットを持つ基地局と通信端末装置とのトラフィックチャネルを確立するようになっている。
【０００８】
そして、以後、図５に示すように、所定時間毎に全ての通信基地局（アクティブセットＡ１、Ａ２）、全てのハンドオフ先の候補基地局（キャンディデートセットＣ１）、及び１つのハンドオフの候補外基地局（ネイバーセットＮ１、Ｎ２…）を順番に捕捉していく。
【０００９】
このようなＣＤＭＡ方式の通信システムに準拠した通信端末装置は、例えば、特許文献１に開示されている。
【特許文献１】特開２００２−１５９０３９号公報
【発明の開示】
【発明が解決しようとする課題】
【００１０】
ところが、図５のように通信基地局（アクティブセット）、ハンドオフ先の候補基地局（キャンディデートセット）、及びハンドオフの候補外基地局（ネイバーセット）を順番に捕捉していくと、補足する基地局の数が多いと全ての基地局を補足するのに時間を要してしまうとともに、最悪の場合、通信断となってしまうという課題があった。
【００１１】
即ち、図６を参照すると、図１に示す従来のスケジューリングでは、全てのアクティブセット（Ａ１、Ａ２）と全てのキャンディデートセット（Ｃ１）とを補足した後、複数あるネイバーセットのうち１つのネイバーセット捕捉するようになっているため、例えば、ネイバーセットが３つある場合、Ａ１、Ａ２、Ｃ１、Ｎ１、Ａ１、Ａ２、Ｃ１、Ｎ２、Ａ１、Ａ２、Ｃ１、Ｎ３…が繰り返されることになる。しかし、このとき、図６のグラフに示すようにＡ１、Ａ２のパイロット信号強度（通信品質）及びＣ１のパイロット信号強度が急激に減衰するとともにＮ１のパイロット信号強度が大きく上回り、Ｎ１をすぐさまキャンディデートセットとして報告すべき状態（図中に矢印で示すＺ）において、Ｎ１を捕捉することができず、結果として基地局に報告できないままＡ１、Ａ２の基地局との通信が途絶えることで通信断となってしまうことがある。（図中に矢印で示すＹ）
従って、本発明は、通信中に通信品質の急激な減衰が起こっても、適切にハンドオフを行うことで、通信断を防ぐことができる通信端末装置を提供することを目的とする。
【課題を解決するための手段】
【００１２】
上記課題を解決するために、本発明の通信端末装置は、複数の基地局より受信するパイロット信号の受信頻度を管理するスケジュール情報を記憶する記憶手段と、前記スケジュール情報に基づき通信中の通信基地局及び当該通信基地局の周辺に位置する周辺基地局からそれぞれパイロット信号を受信する受信手段と、前記受信手段により受信したパイロット信号の通信品質に基づいて、前記周辺基地局をハンドオフ先候補としての候補基地局とハンドオフ先候補ではない候補外基地局とに区分するとともに、前記通信基地局の数に基づいて、前記候補基地局と前記候補外基地局との少なくとも一方のパイロット信号を受信する受信頻度を変更するように前記スケジュール情報の更新を行う制御手段と、を備えることを特徴とする。
【００１３】
また、この通信端末装置において、前記制御手段は、前記通信基地局の数が所定の閾値より少ない場合は、前記候補基地局と前記候補外基地局との少なくとも一方のパイロット信号を受信する受信頻度を上げるように前記スケジュール情報の更新を行なうことを特徴とする。
【００１４】
また、この通信端末装置において、前記制御手段は、前記通信基地局の数が所定の閾値より多い場合は、前記候補基地局と前記候補外基地局との少なくとも一方のパイロット信号を受信する受信頻度を下げるように前記スケジュール情報の更新を行なうことを特徴とする。
【００１５】
さらに、この通信端末装置において、前記記憶手段は、一の基地局からパイロット信号を受信するのに要する時間の２倍以上の所定時間を記憶し、前記制御手段は、前記通信基地局の数が所定の閾値より少ない場合は、前記所定時間内に可能な限り多くの前記候補外基地局のパイロット信号を連続して受信するよう受信頻度を変更することを特徴とする。
【発明の効果】
【００１６】
本発明によれば、通信端末装置において、通信中に通信品質の急激な減衰が起こっても適切にハンドオフを行い、通信断を防ぐことができる。
【発明を実施するための最良の形態】
【００１７】
以下、本発明の実施の形態を図面に基づいて説明する。
【００１８】
図１は、本発明の通信端末装置として携帯電話機１０を示すブロック図である。
【００１９】
携帯電話機１０は、アンテナ１１、通信部（受信手段）１２、ＬＣＤ（Ｌｉｑｕｉｄ  Ｃｒｙｓｔａｌ  Ｄｉｓｐｌａｙ）等から成る表示部１３、テンキー等の複数のキーから成る入力部１４、音響信号を出力するスピーカ１５、音響信号を入力するマイクロフォン１６、記憶部１７、上記１１乃至１７までの構成部と接続されて各々の制御を行うマイクロプロセッサから成る制御部（制御手段）１８を備えている。
【００２０】
通信部１２は、ＣＤＭＡ方式で電波の変復調などの送受信処理を行う。
【００２１】
記憶部１７には、基地局より受信するパイロット信号の受信頻度を管理するスケジュール情報、及び後述する許容時間Ｔが記憶されている。
【００２２】
制御部１８には特に、パイロット信号の強度を計測する計測手段１９と、計測手段１９での計測結果に基づいて基地局の分類を行う分類手段２０が備わっている。
【００２３】
携帯電話機１０は、ＣＤＭＡ方式で基地局（図示しない）を介して他の通信装置と通信を行う。携帯電話機１０が他の通信装置と通信を開始すると、携帯電話機１０と基地局と他の通信装置との間で個別のトラフィックチャネルを確立し、このトラフィックチャネル上で音声やデータの通信を行うようになっている。
【００２４】
そして、携帯電話機１０は、他の通信装置と通信中において、現在トラフィックチャネルが確立している基地局（以下、通信基地局という）のパイロット信号と、この通信基地局の周辺に位置する基地局（以下、周辺基地局という）のパイロット信号を捕捉し、両パイロット信号の通信品質を比較してより通信品質の良い基地局とトラフィックチャネルを確立しようする。
【００２５】
このように、パイロット信号の捕捉及び比較を行うことを、本願明細書中にて「パイロットサーチ」という。また、通信する基地局を変更する動作のことを、本願明細書中にて「ハンドオフ」という。
【００２６】
通常、パイロットサーチは以下のように実行される。
【００２７】
即ち、携帯電話機１０が属するＣＤＭＡ通信システム内の各基地局には位相オフセットの異なるパイロット信号が固定的に割り当てられており、携帯電話機１０は、上記パイロット信号の位相オフセットを検出することにより各基地局を識別している。そして、通信端末装置が各基地局のパイロット信号の捕捉を行う場合、主に、次の３つのパイロットオフセットの集合が定義されている。
【００２８】
１．アクティブセット：現在携帯電話機１０が通信中の基地局（通信端末装置との間にトラフィックチャネルが確立している基地局）に割り当てられているオフセットの集合。通信中の基地局を示す。
【００２９】
２．キャンディデートセット：携帯電話機１０により予め決められた所定値以上の通信品質（良好な通話を維持するのに十分と考えられる通信品質）でパイロット信号が受信されているが、基地局及び基地局コントローラ（ともに図示しない）を含む網側での処理により、まだ上記アクティブセットのメンバーにはされていない基地局に割り当てられているオフセットの集合。ハンドオフ先の候補となる基地局を示す。
【００３０】
３．ネイバーセット：携帯電話機１０により予め決められた所定値未満の通信品質（良好な通話を維持するのには不十分と考えられる通信品質）でパイロット信号が受信されている基地局に割り当てられているオフセットの集合。ハンドオフ先の候補となる可能性はあるが、現在ハンドオフ先の候補外の基地局を示す。
【００３１】
ＣＤＭＡ方式の通信システムでは、携帯電話機１０は一般的に、通信中において、通信基地局（アクティブセット）から、この通信基地局の周辺に位置するハンドオフ先の候補となる可能性のある基地局（ネイバーセット）に関する情報をリスト化した「ネイバーセットリスト」が携帯電話機１０に送信される。ネイバーセットリストを受信した携帯電話機１０は、通信基地局のパイロット信号とともにネイバーセットリストに含まれる全ての基地局のパイロット信号を、記憶部１７に記憶されているスケジュール情報のスケジュールで捕捉し、通信品質（例えば、ＲＳＳＩ値（受信信号強度））を計測する。そして、計測した通信品質が所定の閾値（携帯電話機１０と基地局間で良好な通信を確立することができるかどうかを判断するための閾値）を超えたパイロット信号があった場合には、そのオフセットをハンドオフ先の候補（キャンディデートセット）として通信基地局へ報告する。
【００３２】
通信基地局は、携帯電話機１０からの報告を受けて、所定の閾値を超えたキャンディデートセットをアクティブセットに入れるかどうか（キャンディデートセットを割り当てられている基地局と携帯電話機１０との通信チャネルを設定するかどうか）の判断を行う。判断の結果、キャンディデートセットをアクティブセットに登録すると、この基地局と通信端末装置との通信チャネルを確立するようになっている。
【００３３】
この後、再び記憶部１７に記憶されているスケジュール情報に基づいて、アクティブセット、キャンディデートセット、及びネイバーセットのパイロット信号の捕捉及び通信品質の計測を行うが、このとき、本発明によれば、制御部１８は、アクティブセットの数に基づいてスケジュールを変更し、キャンディデートセットのパイロット信号及び／又はネイバーセットのパイロット信号の捕捉を行う受信頻度を変更する。
【００３４】
具体的には、アクティブセットの数が所定の閾値未満であるときは、キャンディデートセットのパイロット信号及び／又はネイバーセットのパイロット信号の捕捉を行う受信頻度を上げるようにスケジュールを変更するとともに、アクティブセットの数が所定の閾値以上であるときは、キャンディデートセットのパイロット信号及び／又はネイバーセットのパイロット信号の捕捉を行う受信頻度を下げるようにスケジュールを変更する。
【００３５】
＜第１の実施形態＞
第１の実施形態では、一例として、３つのアクティブセット（Ａ１、Ａ２、Ａ３）、１つのキャンディデート（Ｃ１）、及び２つのネイバーセット（Ｎ１、Ｎ２）が存在している状況を想定し、アクティブセットの数が減少して所定の閾値（３）未満になった場合、ネイバーセットのパイロット信号の捕捉を行う受信頻度を上げるようにスケジュールを変更する例を説明する。
【００３６】
まず、３つのアクティブセット（Ａ１、Ａ２、Ａ３）、１つのキャンディデートセット（Ｃ１）、及び２つのネイバーセット（Ｎ１、Ｎ２）が存在しているとき、図２（ａ）に示すように、まず全てのアクティブセット（Ａ１〜Ａ３）のパイロット信号を捕捉し、次に１つ（Ｃ１）のパイロット信号を捕捉し、さらに２つのネイバーセットのうち１つ（Ｎ１）のパイロット信号を捕捉する。その後、同様にアクティブセット（Ａ１〜Ａ３）のパイロット信号捕捉に続いて順番にキャンディデートセットとネイバーセットのパイロット信号を１つずつ捕捉していく。
【００３７】
このように、良好な通信品質で携帯電話機１０と接続しているアクティブセットが十分に（３つ）ある場合は、アクティブセットを重視してパイロット信号の捕捉を行う。
【００３８】
図２（ａ）のような状態にあるとき、例えば、図３に示すようにアクティブセットＡ３のパイロット信号の通信品質が減衰して通信断となった場合、アクティブセットの総数が３つから２つに減少することで所定の閾値を下回ることから、図３に示す矢印Ａのタイミング以降、制御部１８は、ネイバーセットのパイロット信号を捕捉する受信頻度を上げるようスケジュールの変更を行う。なお、この間、ネイバーセット（Ｎ２）については、パイロット信号の通信品質は特に変化しなかったものとする。
【００３９】
具体的には、図３に示すように、矢印Ａのタイミング以降は、２つのアクティブセット（Ａ１、Ａ２）及び１つのキャンディデートセットＣ１のパイロット信号補足に続いて、２つのネイバーセット（Ｎ１、Ｎ２）のパイロット信号の補足を連続して行う。すなわち、Ａ１、Ａ２、Ｃ１、Ｎ１、Ｎ２…が繰り返されることとなる。
【００４０】
このようにネイバーセットＮ１、Ｎ２のパイロット信号を捕捉する受信頻度を上げることで、ネイバーセットＮ１、Ｎ２へのハンドオフが行いやすくなる。
【００４１】
そして、矢印Ａのタイミング以降、さらにアクティブセットＡ２の通信品質が減衰して矢印ＢのタイミングでアクティブセットＡ２が通信断となった場合、アクティブセットの総数は１となる。
【００４２】
矢印Ｂのタイミング以降、アクティブセットＡ１の通信品質が著しく減衰する一方で、ネイバーセットＮ１の通信品質が改善し、アクティブセットＡ１よりも通信品質が良好となったネイバーセットＮ１へハンドオフすることのできる矢印Ｚ区間において、ネイバーセットＮ１のパイロット信号を捕捉することができる。この時点でネイバーセットＮ１の通信品質がアクティブセットＡ１の通信品質を上回るため、基地局に対してネイバーセットＮ１をアクティブセットに設定する依頼を送信し、基地局側はネイバーセットＮ１を新たなアクティブセットにＡ１´に設定することで、良好な通信を維持することができる。
【００４３】
このように第１の実施形態では、アクティブセットの所定の閾値未満になると、ネイバーセットのパイロット信号補足の周期を上げるように制御することで、アクティブセットの通信品質が急激に減衰した場合であっても、ネイバーセットのパイロット信号を捕捉しやすくなるため良好な通信を維持することができる。
【００４４】
なお、第１の実施形態では、ネイバーセットのパイロット信号を捕捉する受信頻度を上げるようにスケジュールを変更する例を示したが、キャンディデートセットのパイロット信号を捕捉する受信頻度を上げるようにスケジュールを変更しても良いのは明らかである。
【００４５】
また、キャンディデートセットのパイロット信号を捕捉する受信頻度を上げるようにスケジュールを変更する場合は、アクティブセットの通信品質が急激に減衰した場合において、キャンディデートセットのパイロット信号を捕捉しやすくなるのもまた明らかである。
【００４６】
＜第２の実施形態＞
第２の実施形態では、一例として、３つのアクティブセット（Ａ１、Ａ２、Ａ３）、２つのキャンディデート（Ｃ１、Ｃ２）、及び２つのネイバーセット（Ｎ１、Ｎ２）が存在している状況を想定し、アクティブセットの数が減少して所定の閾値（３）未満になった場合、キャンディデートセットのパイロット信号及びネイバーセットのパイロット信号の捕捉を行う受信頻度を上げるようにスケジュールを変更する例を説明する。
【００４７】
まず、３つのアクティブセット（Ａ１、Ａ２、Ａ３）、２つのキャンディデートセット（Ｃ１、Ｃ２）、及び２つのネイバーセット（Ｎ１、Ｎ２）が存在しているとき、図２（ｂ）に示すように、まず全てのアクティブセット（Ａ１〜Ａ３）のパイロット信号を捕捉し、次に２つのキャンディデートセットのうち１つ（Ｃ１）のパイロット信号を捕捉し、さらに２つのネイバーセットのうち１つ（Ｎ１）のパイロット信号を捕捉する。その後、同様にアクティブセット（Ａ１〜Ａ３）のパイロット信号捕捉に続いて順番にキャンディデートセットとネイバーセットのパイロット信号を１つずつ捕捉していく。
【００４８】
このように、良好な通信品質で携帯電話機１０と接続しているアクティブセットが十分に（３つ）ある場合は、アクティブセットを重視してパイロット信号の補足を行う。
【００４９】
図２（ａ）のような状態にあるとき、例えば、図３に示すようにアクティブセットＡ３のパイロット信号の通信品質が減衰して通信断となった場合、アクティブセットの総数が３つから２つに減少することで所定の閾値を下回ることから、図３に示す矢印Ａのタイミング以降、制御部１８は、キャンディデートセットのパイロット信号及びネイバーセットのパイロット信号を捕捉する受信頻度を上げるようスケジュールの変更を行う。なお、この間、キャンディデートセット（Ｃ２）及びネイバーセット（Ｎ２）については、パイロット信号の通信品質は特に変化しなかったものとする。
【００５０】
具体的には、図３に示すように、矢印Ａのタイミング以降は、２つのアクティブセット（Ａ１、Ａ２）及び２つのキャンディデートセット（Ｃ１、Ｃ２）のパイロット信号補足に続いて、２つのネイバーセット（Ｎ１、Ｎ２）のパイロット信号の補足を連続して行う。すなわち、Ａ１、Ａ２、Ｃ１、Ｃ２、Ｎ１、Ｎ２…が繰り返されることとなる。
【００５１】
このようにキャンディデートセットＣ１、Ｃ２及びネイバーセットＮ１、Ｎ２のパイロット信号を捕捉する受信頻度を上げることで、キャンディデートＣ１、Ｃ２及びネイバーセットＮ１、Ｎ２へのハンドオフが行いやすくなる。
【００５２】
そして、矢印Ａのタイミング以降、さらにアクティブセットＡ２の通信品質が減衰して矢印ＢのタイミングでアクティブセットＡ２が通信断となった場合、アクティブセットの総数は１となる。
【００５３】
矢印Ｂのタイミング以降、アクティブセットＡ１の通信品質が著しく減衰する一方で、キャンディデートセットＣ１の通信品質が改善し、アクティブセットＡ１よりも通信品質が良好となったキャンディデートセットＣ１へハンドオフすることのできる矢印Ｚ区間において、キャンディデートセットＣ１のパイロット信号を捕捉することができる。この時点でキャンディデートセットＣ１の通信品質がアクティブセットＡ１の通信品質を上回るため、基地局に対してキャンディデートセットＣ１をアクティブセットに設定する依頼を送信し、基地局側はキャンディデートセットＣ１を新たなアクティブセットにＡ１´に設定することで、良好な通信を維持することができる。
【００５４】
このように第２の実施形態では、アクティブセットの所定の閾値未満になると、キャンディデートセットのパイロット信号とネイバーセットのパイロット信号の両方の補足の受信頻度を上げるように制御することで、アクティブセットの通信品質が急激に減衰した場合であっても、キャンディデートセットのパイロット信号及びネイバーセットのパイロット信号を捕捉しやすくなるため、より良好な通信を維持することができる。
【００５５】
＜第３の実施形態＞
第３の実施形態では、ネイバーセットのパイロット信号を捕捉する許容時間が予め設定されており、制御部１８は、この許容時間と、１つのネイバーセットのパイロット信号を捕捉するのに要する時間とに基づいて、一度に連続して捕捉するネイバーセットの数を制御する。この許容時間は、１つの基地局からパイロット信号を受信するのに要する時間の少なくとも２倍とすることで、少なくとも２つのネイバーセットから連続してパイロット信号を受信することができる。
【００５６】
まず、３つのアクティブセット（Ａ１、Ａ２、Ａ３）、１つのキャンディデートセット（Ｃ１）、及び４つのネイバーセット（Ｎ１、Ｎ２、Ｎ３、Ｎ４）が存在しているとする。このとき、図２（ｃ）に示すように、まず全てのアクティブセット（Ａ１〜Ａ３）のパイロット信号を捕捉し、次に２つのキャンディデートセットのうち１つ（Ｃ１）のパイロット信号を捕捉し、４つのネイバーセットのうち１つ（Ｎ１）のパイロット信号を捕捉する。その後、同様にアクティブセット（Ａ１〜Ａ３）のパイロット信号捕捉に続いて順番にキャンディデートセットとネイバーセットのパイロット信号の１つずつ捕捉していく。
【００５７】
このように、良好な通信品質で携帯電話機１０と接続しているアクティブセットが十分に（３つ）ある場合は、アクティブセットを重視してパイロット信号の補足を行う。
【００５８】
図２（ｃ）のような状態にあるとき、例えば、図４に示すようにアクティブセットＡ３のパイロット信号の通信品質が減衰して通信断となった場合、アクティブセットの総数が３つから２つに減少することにより、図４に示す矢印Ａのタイミング以降、制御部１８は、ネイバーセットのパイロット信号を捕捉する受信頻度を上げるようスケジュールの変更を行う。
【００５９】
ここで、図４に示すように、矢印Ａのタイミング以降は、記憶部１７に記憶されている、一度にネイバーセットのパイロット信号補足を行う許容時間Ｔに基づき、この許容時間Ｔ内に補足できるだけのネイバーセットのパイロット信号を捕捉する。例えば、ネイバーセット（Ｎ１〜Ｎ４）のそれぞれのパイロット信号補足に要する時間ｔが０．２ｍｓｅｃであり、許容時間Ｔを０．７ｍｓｅｃとしたとき、一度に３つのネイバーセットのパイロット信号を捕捉することができるようにする（合計０．６ｍｓｅｃ）。すなわち、矢印Ａのタイミング以降は、Ａ１、Ａ２、Ｃ１、Ｎ１、Ｎ２、Ｎ３、Ａ１、Ａ２、Ｃ１、Ｎ４、Ｎ１、Ｎ２・・・と一度に３つのネイバーセットのパイロット信号を捕捉する。
【００６０】
このようにネイバーセットＮ１〜Ｎ４のパイロット信号を捕捉する受信頻度を上げることで、ネイバーセットＮ１〜Ｎ４へのハンドオフが行いやすくなる。
【００６１】
そして、矢印Ｂのタイミング以降、アクティブセットＡ１の通信品質が著しく減衰する一方で、ネイバーセットＮ１の通信品質が改善し、アクティブセットＡ１よりも通信品質が良好となったネイバーセットＮ１へハンドオフすることのできる矢印Ｚ区間において、ネイバーセットＮ１のパイロット信号を捕捉することができる。その結果、ネイバーセットＮ１の通信品質がアクティブセットＡ１の通信品質を上回るため、ネイバーセットＮ１をキャンディデートセットとして基地局へ報告し、基地局側はネイバーセットＮ１を新たなアクティブセットに設定する。
【００６２】
このように第２の実施形態では、アクティブセットの数が減ると、ネイバーセットのパイロット信号補足の周期を上げるように制御することで、アクティブセットの通信品質が急激に減衰した場合であっても、ネイバーセットのパイロット信号を捕捉しやすくなるため良好な通信を維持することができる。
【００６３】
以上のように、本発明の第１及び第２の実施形態によれば、アクティブセットの数が減ると、ネイバーセットのパイロット信号補足の周期を上げるように制御することで、アクティブセットの通信品質が急激に減衰した場合であっても、ネイバーセットのパイロット信号を捕捉しやすくなるため良好な通信を維持することができる。
【００６４】
すなわち、ネイバーセットのパイロット信号補足の周期を上げるように制御することで、アクティブセットの通信品質が急激に減衰するとともにネイバーセットの通信品質が向上した場合に、通信品質が向上したネイバーセットにハンドオフを行って通信断を防ぐことができる可能性が飛躍的に高まる。
【図面の簡単な説明】
【００６５】
【図１】本発明に係る携帯電話機１０を示すブロック図である。
【図２】本発明に係るパイロット信号捕捉のスケジュールの一例を示す図である。
【図３】本発明の第１の実施形態に係るパイロット信号捕捉のスケジュールを示すグラフ図である。
【図４】本発明の第２の実施形態に係るパイロット信号捕捉のスケジュールを示すグラフ図である。
【図５】本発明の第３の実施形態に係るパイロット信号捕捉のスケジュールを示すグラフ図である。
【図６】従来のパイロット信号捕捉のスケジュールを示す図である。
【図７】従来のパイロット信号捕捉のスケジュールを示すグラフ図である。
【符号の説明】
【００６６】
１０          携帯電話機（通信端末装置）
１１          アンテナ
１２          通信部
１３          表示部
１４          入力部
１５          スピーカ
１６          マイクロフォン
１７          記憶部
１８          制御部
【図１】
2006287667.tif 000003
【図２】
2006287667.tif 000004
【図３】
2006287667.tif 000005
【図４】
2006287667.tif 000006
【図５】
2006287667.tif 000007
【図６】
2006287667.tif 000008
【図７】
2006287667.tif 000009